(57)【特許請求の範囲】
【請求項１】
通常モードまたは閲覧制限モードの一方のモードを自動的に選択するモード切替部と、
前記通常モードが選択されているときに、入力装置を介して入力されるウェブサイト情報に基づいて複数のウェブページから選択されるウェブページを表示装置に表示するウェブサイト接続部と、
前記複数のウェブページのうちのコンテンツ購入ウェブページが表示されているときに、複数のコンテンツから選択される購入コンテンツを識別する購入情報をサービス提供サーバーに送信するコンテンツ購入部と、
前記サービス提供サーバーから前記購入コンテンツが配信されたときに、前記購入コンテンツが再生されるように出力装置を制御するコンテンツ再生部とを具備し、
前記ウェブサイト接続部は、前記閲覧制限モードが選択されているときに、前記複数のウェブページのうちのコンテンツ購入ウェブページと異なる閲覧制限ウェブページが表示されないように前記表示装置を制御する
コンテンツ購入再生装置。
【請求項２】
請求項１において、
前記コンテンツ購入部は、さらに、前記購入コンテンツが購入された購入日時を記憶装置に記録し、
前記モード切替部は、前記購入日時から所定の期間以上が経過したときに、前記閲覧制限モードを選択する
コンテンツ購入再生装置。
【請求項３】
請求項１〜請求項２のいずれかにおいて、
前記モード切替部は、前記サービス提供サーバーから閲覧制限モード解除情報を受信したときに、前記通常モードを選択する
コンテンツ購入再生装置。
【請求項４】
請求項３において、
前記購入情報は、前記通常モードと前記閲覧制限モードとのうちの前記コンテンツ購入ウェブページが表示されているときに選択されているモードをさらに示す
コンテンツ購入再生装置。
【請求項５】
請求項１〜請求項４のいずれかにおいて、
前記購入情報は、使用者識別情報と端末識別情報とをさらに示し、
前記使用者識別情報に対応する請求先から回収された代金は、前記コンテンツを識別する購入情報に対応するコンテンツ提供元と前記端末識別情報に対応する端末提供元とに分配される
コンテンツ購入再生装置。
【請求項６】
請求項３に記載されるコンテンツ購入再生装置と、
前記サービス提供サーバーとを具備し、
前記サービス提供サーバーは、前記コンテンツ購入ウェブページが表示されているときに前記閲覧制限モードが選択されていることを前記購入情報が示すときに、前記閲覧制限モード解除情報を前記コンテンツ購入再生装置に送信する
コンテンツ提供システム。
【請求項７】
請求項６において、
前記サービス提供サーバーは、前記購入情報に基づいて作成された購入履歴に基づいて前記複数のコンテンツから選択される推奨コンテンツが紹介されるように前記コンテンツ購入ウェブページを制御する
コンテンツ提供システム。
【請求項８】
モード切替部と、ウェブサイト接続部と、コンテンツ購入部と、コンテンツ再生部とを具備するコンテンツ購入再生装置を用いたコンテンツ提供方法であって、
前記モード切替部が、通常モードまたは閲覧制限モードの一方のモードを自動的に選択するステップと、
前記ウェブサイト接続部が、入力装置を介して入力されるウェブサイト情報に基づいて複数のウェブページから選択されるウェブページを表示装置に表示するステップと、
前記複数のウェブページのうちのコンテンツ購入ウェブページが表示されているときに、前記コンテンツ購入部が、複数のコンテンツから選択される購入コンテンツを識別する購入情報をサービス提供サーバーに送信するステップと、
前記サービス提供サーバーから前記購入コンテンツが配信されたときに、前記コンテンツ再生部が、前記購入コンテンツが再生されるように出力装置を制御するステップとを具備し、
前記複数のウェブページのうちのコンテンツ購入ウェブページと異なる閲覧制限ウェブページは、前記通常モードが選択されているときに、前記ウェブサイト接続部により前記表示装置に表示されるように制御され、前記閲覧制限モードが選択されているときに、前記ウェブサイト接続部により前記表示装置に表示されないように制御される
コンテンツ提供方法。
【請求項９】
請求項８において、
前記コンテンツ購入部が、前記購入コンテンツが購入された購入日時を記憶装置に記録するステップをさらに具備し、
前記閲覧制限モードは、前記購入日時から所定の期間以上が経過したときに、選択される
コンテンツ提供方法。
【請求項１０】
請求項８〜請求項９のいずれかにおいて、
前記通常モードは、前記サービス提供サーバーから閲覧制限モード解除情報を受信したときに、選択される
コンテンツ提供方法。
【発明の詳細な説明】
【技術分野】
【０００１】
本発明は、コンテンツ購入再生装置およびコンテンツ提供方法に関し、特に、コンテンツを購入するときに利用されるコンテンツ購入再生装置およびコンテンツ提供方法に関する。
【背景技術】
【０００２】
オンラインで購入した電子書籍をダウンロードして閲覧することができる携帯端末が知られている。このような携帯端末は、高価であり、なかなか普及しないために、電子書籍の利用率も上がらない状況である。電子書籍をダウンロードして閲覧する携帯端末を普及させることが望まれ、電子書籍等のコンテンツの利用率を向上させることが望まれている。
【０００３】
特開２００２−２４５３４号公報には、インターネット等の通信回線を介して顧客がコンテンツを購入する際に、顧客の端末機とコンテンツ販売仲介サーバー間で行われる過程数を低減可能なコンテンツ販売仲介システムが開示されている。そのコンテンツ販売仲介システムは、コンテンツ販売サーバーによって提供されるコンテンツの販売を仲介するコンテンツ販売仲介システムにおいて、顧客の決済手段が前記顧客所有の端末機の識別番号と対応付けて記憶されたコンテンツ販売仲介サーバーと、前記コンテンツ販売仲介サーバーへ通信回線を介してアクセス可能な端末機とを備え、前記コンテンツ販売仲介サーバーは、前記端末機から供給された識別番号と前記記憶された識別番号との一致を条件として、前記端末機の正当性を認証し、この認証で使用された識別番号に基づいて、前記顧客によって購入された前記コンテンツの代金を決済するための決済手段を特定することを特徴とする。
【０００４】
特開２００２−１０９３９８号公報には、コンテンツの配布に対する対価を適切に処理することにより、ネットワークを用いて電子書籍システムなどを広く普及させることができる課金収受装置が開示されている。その課金収受装置は、コンテンツの提供を受けたユーザから前記コンテンツの提供に対する課金を収受して、収受した前記課金を分配する課金収受装置であって、前記ユーザが前記コンテンツを閲覧するために用いる端末装置に接続され、前記ユーザが提供を受けたコンテンツを特定するための第１の情報と、前記端末装置を特定するための第２の情報とを、前記端末装置から受信するための受信手段と、前記第１の情報に基づいて、前記ユーザから前記コンテンツの提供に対する課金を収受するための収受手段と、前記収受手段と前記受信手段とに接続され、前記第１の情報と前記第２の情報とに従って、前記収受手段により収受した課金の情報を、第１の宛先と第２の宛先とに分けて送信するための送信手段とを含んでいる。
【０００５】
特開２００５−２５０９４０号公報には、インターネットブラウザが搭載された端末を用いたサービス販売において、利用者が受信機端末をサービス会社の端末として利用した時間を元に、受信端末メーカーがサービス会社から対価を得るシステムが開示されている。その端末利用課金システムは、端末利用権利情報をサービス端末に発行する利用時間証明センタと、サービス処理装置にサービス要求を発行するサービス端末と、前記サービス端末に対してサービスを提供するサービス処理装置から構成され、前記利用時間証明センタは前記サービス端末から送信されるサービス処理装置利用情報を受信し端末利用時間を前記サービス処理装置に送信する。
【０００６】
特表２０１０−５２９５２６号公報には、ネットワークを介し電子出版物をユーザ端末に提供するシステムが開示されている。そのシステムは、ユーザによって消費されるアイテムを提供するアイテム提供システムと、アイテムの消費に用いられるユーザデバイスと、無線通信を用いて、前記ユーザデバイスと交信する無線プロバイダシステムと、前記無線プロバイダシステムと、前記アイテム提供システムとの間で情報を交換するための通信支援システムと、前記通信支援システムと、前記無線プロバイダシステムとを結合する専用通信結合と、前記通信支援システムと、前記アイテム提供システムとを結合する非専用通信結合と、を含むシステムであって、前記ユーザデバイスは、アイテムの１つの種類として、前記ユーザに電子出版物を提供するよう構成され、実際の書籍を読むのを模倣する形で前記ユーザが前記電子出版物を消費できるようにしている。
【先行技術文献】
【特許文献】
【０００７】
【特許文献１】特開２００２−２４５３４号公報
【特許文献２】特開２００２−１０９３９８号公報
【特許文献３】特開２００５−２５０９４０号公報
【特許文献４】特表２０１０−５２９５２６号公報
【発明の概要】
【発明が解決しようとする課題】
【０００８】
本発明の目的は、通信ネットワークを介して販売・配信されるコンテンツの利用率を向上させるコンテンツ購入再生装置およびコンテンツ提供方法を提供することにある。
【課題を解決するための手段】
【０００９】
本発明によるコンテンツ購入再生装置は、モード切替部とウェブサイト接続部とコンテンツ購入部とコンテンツ再生部とを備えている。そのモード切替部は、通常モードまたは閲覧制限モードの一方のモードを自動的に選択する。そのウェブサイト接続部は、その通常モードが選択されているときに、入力装置を介して入力されるウェブサイト情報に基づいて複数のウェブページから選択されるウェブページを表示装置に表示する。そのウェブサイト接続部は、その閲覧制限モードが選択されているときに、その複数のウェブページのうちのコンテンツ購入ウェブページと異なる閲覧制限ウェブページが表示されないようにその表示装置を制御する。そのコンテンツ購入部は、その複数のウェブページのうちのコンテンツ購入ウェブページが表示されているときに、複数のコンテンツから選択される購入コンテンツを識別する購入情報をサービス提供サーバーに送信する。そのコンテンツ再生部は、そのサービス提供サーバーからその購入コンテンツが配信されたときに、その購入コンテンツが再生されるように出力装置を制御する。
【００１０】
本発明によるコンテンツ提供方法は、通常モードまたは閲覧制限モードの一方のモードを自動的に選択するステップと、入力装置を介して入力されるウェブサイト情報に基づいて複数のウェブページから選択されるウェブページを表示装置に表示するステップと、その複数のウェブページのうちのコンテンツ購入ウェブページが表示されているときに、複数のコンテンツから選択される購入コンテンツを識別する購入情報をサービス提供サーバーに送信するステップと、そのサービス提供サーバーからその購入コンテンツが配信されたときに、その購入コンテンツが再生されるように出力装置を制御するステップとを備えている。その複数のウェブページのうちのコンテンツ購入ウェブページと異なる閲覧制限ウェブページは、その通常モードが選択されているときに、その表示装置に表示されるように制御され、その閲覧制限モードが選択されているときに、その表示装置に表示されないように制御される。
【発明の効果】
【００１１】
本発明によるコンテンツ購入再生装置およびコンテンツ提供方法によれば、コンテンツを購入するためのコンテンツ購入ウェブページが常時に閲覧されることができ、使用者にコンテンツの購入をより効率的に促すことができる。その結果、本発明によるコンテンツ購入再生装置およびコンテンツ提供方法は、そのコンテンツ購入再生装置により購入・再生されるコンテンツの利用率を向上させることができる。
【図面の簡単な説明】
【００１２】
【図１】図１は、本発明によるコンテンツ購入再生装置が適用されるコンテンツ提供システムを示すブロック図である。
【図２】図２は、サービス端末を示すブロック図である。
【図３】図３は、サービス提供サーバーを示すブロック図である。
【図４】図４は、モードを切り替える動作を示すフローチャートである。
【図５】図５は、コンテンツを購入する動作を示すフローチャートである。
【図６】図６は、コンテンツを購入する他の動作を示すフローチャートである。
【図７】図７は、他のコンテンツ提供システムを示すブロック図である。
【発明を実施するための形態】
【００１３】
図面を参照して、本発明によるコンテンツ購入再生装置の実施の形態を記載する。そのコンテンツ購入再生装置は、図１に示されているように、コンテンツ提供システム１にサービス端末２として適用されている。コンテンツ提供システム１は、インターネットに例示される通信ネットワークを介して複数のコンピュータが互いに双方向に情報を伝送することができるように接続されている。
【００１４】
その複数のコンピュータは、ポータルサイト運営業者サーバー３を含んでいる。ポータルサイト運営業者サーバー３は、ポータルサイト運営業者により使用されている。そのポータルサイト運営業者は、その通信ネットワークを介してポータルサイト運営業者サーバー３に接続されるコンピュータにポータルサイトを提供する。そのポータルサイトは、そのコンピュータを介して閲覧可能である複数のウェブページを備えている。その複数のウェブページのうちの電子書籍購入ウェブページは、そのコンピュータのユーザに複数の電子書籍を紹介している。
【００１５】
その複数のコンピュータは、本発明によるコンテンツ購入再生装置であるサービス端末２を含んでいる。サービス端末２は、使用者に購入され、その使用者により使用されている。その使用者は、サービス端末２を用いてその複数のウェブページを閲覧し、サービス端末２を用いて電子書籍を購入し、サービス端末２を用いてその電子書籍を閲覧する。その使用者は、さらに、サービス端末２を用いてそのポータルサイトと異なるウェブサイトが備えるウェブページを閲覧することもできる。
【００１６】
その複数のコンピュータは、サービス提供サーバー５とデータベース用外部記憶装置６とコンテンツ用外部記憶装置７とをさらに含んでいる。サービス提供サーバー５とデータベース用外部記憶装置６とコンテンツ用外部記憶装置７とは、サービス提供業者により使用されている。そのサービス提供業者は、サービス提供サーバー５を用いて複数の電子書籍を販売する。コンテンツ用外部記憶装置７は、その複数の電子書籍を複数のコンテンツ属性情報に対応づけて記録している。その複数のコンテンツ属性情報のうちのある電子書籍に対応するコンテンツ属性情報は、その電子書籍の属性を示し、たとえば、その電子書籍の分野、著者、出版元、キーワードを示している。データベース用外部記憶装置６は、複数の購入履歴を複数の端末識別情報に対応づけて記録している。その複数の購入履歴のうちのある端末識別情報に対応する購入履歴は、複数のコンテンツ識別情報を示している。その複数のコンテンツ識別情報は、その端末識別情報により識別される端末を用いて購入された複数の電子書籍をそれぞれ示している。
【００１７】
その複数のコンピュータは、課金代行会社端末８をさらに含んでいる。課金代行会社端末８は、課金代行業者により使用されている。その課金代行業者は、サービス提供サーバー５から課金代行会社端末８に送信される課金情報に基づいて、そのサービス提供業者が購入者に電子書籍を販売するときに、その電子書籍の代金をその購入者から回収し、その代金をそのサービス提供業者に支払う。
【００１８】
その複数のコンピュータは、複数のコンテンツ提供会社端末１１−１〜１１−ｎ（ｎ＝２，３，４，…）をさらに含んでいる。複数のコンテンツ提供会社端末１１−１〜１１−ｎの各コンテンツ提供会社端末１１−ｉ（ｉ＝１，２，３，…，ｎ）は、コンテンツ提供会社により使用されている。そのコンテンツ提供会社は、電子書籍を作成し、コンテンツ提供会社端末１１−ｉを介してその電子書籍をそのサービス提供業者に提供することにより、その電子書籍の販売をそのサービス提供業者に依頼している。
【００１９】
その複数のコンピュータは、端末メーカー端末１２をさらに含んでいる。端末メーカー端末１２は、端末メーカーにより使用されている。その端末メーカーは、サービス端末２を製造・販売している。端末メーカー端末１２は、コンテンツ提供システム１に複数が備えられている。
【００２０】
このとき、そのサービス提供業者は、その課金代行業者を介して回収された電子書籍の代金をその端末メーカーとそのコンテンツ提供会社とに分配する。このような分配によれば、その端末メーカーは、サービス端末２の価格をより安価に設定することができ、その使用者は、サービス端末２の価格をより安価に購入することができる。その結果、このような分配によれば、コンテンツ提供システム１は、サービス端末２の普及を促進することができ、電子書籍の販売の普及を促進することができる。
【００２１】
図２は、サービス端末２を示している。サービス端末２は、コンピュータであり、図示されていないＣＰＵと記憶装置と入力装置と出力装置と通信装置とリムーバルメモリドライブとを備えている。そのＣＰＵは、サービス端末２にインストールされるコンピュータプログラムを実行して、その記憶装置と入力装置と出力装置と通信装置とリムーバルメモリドライブとを制御する。その記憶装置は、そのコンピュータプログラムを記録し、そのＣＰＵにより生成される情報を一時的に記録する。その入力装置は、ユーザに操作されることにより情報を生成し、その情報をそのＣＰＵに出力する。その入力装置としては、キーボード、ポインティングデバイス、タッチパネルが例示される。その出力装置は、そのＣＰＵにより生成される情報をユーザに認識可能に出力する。その出力装置としては、ディスプレイ、音響装置、タッチパネルが例示される。
【００２２】
その通信装置は、その通信ネットワークを介してそのＣＰＵにより生成された情報を他のコンピュータに送信し、その通信ネットワークを介して他のコンピュータから受信された情報をそのＣＰＵに出力する。その通信装置は、さらに、サービス端末２にインストールされるコンピュータプログラムを他のコンピュータからダウンロードすることに利用される。そのリムーバルメモリドライブは、記録媒体が挿入されたときに、その記録媒体に記録されているデータを読み出すことに利用される。そのリムーバルメモリドライブは、さらに、コンピュータプログラムが記録されている記録媒体が挿入されたときに、そのコンピュータプログラムをサービス端末２にインストールするときに利用される。その記録媒体としては、フラッシュメモリ、磁気ディスク（フレキシブルディスク、ハードディスク）、磁気テープ（ビデオテープ）、光ディスク（ＣＤ、ＤＶＤ）、光磁気ディスクが例示される。
【００２３】
サービス端末２にインストールされるコンピュータプログラムは、サービス端末２に複数の機能をそれぞれ実現させる複数のコンピュータプログラムから形成されている。その複数の機能は、モード切替部１４とウェブサイト接続部１５とコンテンツ購入部１６とコンテンツ再生部１７とを含んでいる。
【００２４】
モード切替部１４は、通常モードと閲覧制限モードとのうちから１つのモードを自動的に選択する。すなわち、モード切替部１４は、コンテンツ購入部１６により電子書籍が購入されたときに、その購入された購入日時を記憶装置に記録する。モード切替部１４は、現在日時がその購入日時から所定期間経過後であるときに、閲覧制限モードを選択する。モード切替部１４は、さらに、ポータルサイト運営業者サーバー３から閲覧制限モード解除情報を受信したときに、通常モードを選択する。
【００２５】
ウェブサイト接続部１５は、いわゆる、ブラウザであり、入力装置を介して所定の情報が入力されたときに起動される。ウェブサイト接続部１５は、起動されると、ポータルサイト運営業者サーバー３により提供されるポータルサイトに接続されるように、すなわち、ポータルサイト運営業者サーバー３に接続要求情報が送信されるように、通信装置を制御する。
【００２６】
ウェブサイト接続部１５は、モード切替部１４により通常モードが選択されている場合で、入力装置を介してウェブサイト情報が入力されたときに、複数のウェブサイトのうちのそのウェブサイト情報が示すウェブサイトに接続されるように、すなわち、そのウェブサイトを提供するサーバーに接続要求情報が送信されるように、通信装置を制御する。そのウェブサイト情報としては、そのウェブサイトのアドレスまたはＵＲＬが例示される。その複数のウェブサイトは、複数の閲覧制限ウェブサイトを含んでいる。そのポータルサイトは、その複数のウェブサイトのうちのその複数の閲覧制限ウェブサイトを除く特定ウェブサイトに含まれている。
【００２７】
ウェブサイト接続部１５は、さらに、モード切替部１４により閲覧制限モードが選択されている場合で、入力装置を介してウェブサイト情報が入力されたときに、その複数のウェブサイトのうちのそのウェブサイト情報が示すウェブサイトがその複数の閲覧制限ウェブサイトに含まれているかどうかを判別する。ウェブサイト接続部１５は、そのウェブサイトがその複数の閲覧制限ウェブサイトに含まれていないときに、そのウェブサイトに接続されるように、すなわち、そのウェブサイトを提供するサーバーに接続要求情報が送信されるように、通信装置を制御する。ウェブサイト接続部１５は、そのウェブサイトがその複数の閲覧制限ウェブサイトに含まれているときに、そのウェブサイトに接続しないで、そのウェブサイトに接続することができない旨のメッセージが表示されるように、表示装置を制御する。
【００２８】
ウェブサイト接続部１５は、さらに、その接続されたウェブサイトが備えるウェブページが表示されるように、表示装置を制御する。
【００２９】
コンテンツ購入部１６は、入力装置を介して入力される情報に基づいて、その使用者が所望の電子書籍を購入する。すなわち、コンテンツ購入部１６は、ウェブサイト接続部１５によりそのポータルサイトに接続されているときに、入力装置を介して入力された情報に基づいて購入情報を作成する。その購入情報は、使用者識別情報と端末識別情報とコンテンツ識別情報とモード情報とを示している。その使用者識別情報は、その使用者を識別している。その端末識別情報は、サービス端末２を識別し、サービス端末２に固有の情報を示している。その情報としては、サービス端末２の機種とサービス端末２の製造番号とが例示される。そのコンテンツ識別情報は、そのポータルサイトが備える所定のウェブページに紹介されている複数の電子書籍のうちのその使用者の所望の電子書籍を識別している。そのモード情報は、その購入情報が作成されるときにモード切替部１４により選択されているモードを示し、通常モードまたは閲覧制限モードのうちのいずれかを示している。コンテンツ購入部１６は、その購入情報がポータルサイト運営業者サーバー３に送信されるように、通信装置を制御する。コンテンツ購入部１６は、ポータルサイト運営業者サーバー３から返信された電子書籍を記録するように記憶装置を制御する。
【００３０】
コンテンツ再生部１７は、コンテンツ購入部１６により購入された電子書籍が表示されるように、表示装置を制御する。
【００３１】
図３は、サービス提供サーバー５を示している。サービス提供サーバー５は、コンピュータであり、図示されていないＣＰＵと記憶装置と入力装置と出力装置と通信装置とリムーバルメモリドライブとを備えている。そのＣＰＵは、サービス提供サーバー５にインストールされるコンピュータプログラムを実行して、その記憶装置と入力装置と出力装置と通信装置とリムーバルメモリドライブとを制御する。その記憶装置は、そのコンピュータプログラムを記録し、そのＣＰＵにより生成される情報を一時的に記録する。その入力装置は、ユーザに操作されることにより情報を生成し、その情報をそのＣＰＵに出力する。その出力装置は、そのＣＰＵにより生成される情報をユーザに認識可能に出力する。
【００３２】
その通信装置は、その通信ネットワークを介してそのＣＰＵにより生成された情報を他のコンピュータに送信し、その通信ネットワークを介して他のコンピュータから受信された情報をそのＣＰＵに出力する。その通信装置は、さらに、サービス提供サーバー５にインストールされるコンピュータプログラムを他のコンピュータからダウンロードすることに利用される。そのリムーバルメモリドライブは、記録媒体が挿入されたときに、その記録媒体に記録されているデータを読み出すことに利用される。そのリムーバルメモリドライブは、さらに、コンピュータプログラムが記録されている記録媒体が挿入されたときに、そのコンピュータプログラムをサービス提供サーバー５にインストールするときに利用される。
【００３３】
サービス提供サーバー５にインストールされるコンピュータプログラムは、サービス提供サーバー５に複数の機能を実現させるための複数のコンピュータプログラムから形成されている。その複数の機能は、コンテンツ収集部２０とコンテンツ販売部２１と閲覧制限解除部２２とを含んでいる。
【００３４】
コンテンツ収集部２０は、サービス提供サーバー５がコンテンツ提供会社端末１１−ｉから電子書籍を受信したときに、コンテンツ提供会社端末１１−ｉを識別するコンテンツ提供会社識別情報に対応づけてその電子書籍をコンテンツ用外部記憶装置７に記録する。
【００３５】
コンテンツ販売部２１は、ポータルサイト運営業者サーバー３から購入情報を受信したときに、コンテンツ用外部記憶装置７に記録されている複数の電子書籍のうちの所定の電子書籍がポータルサイト運営業者サーバー３に送信されるように、通信装置を制御する。その購入情報は、使用者識別情報と端末識別情報とコンテンツ識別情報とを示している。そのコンテンツ識別情報は、その所定の電子書籍を識別している。コンテンツ販売部２１は、さらに、課金情報が課金代行会社端末８に送信されるように、通信装置を制御する。その課金情報は、請求先と請求額とを示し、その請求先にその請求額を請求することを示している。その請求先は、その購入情報が示す使用者識別情報が示す使用者に一致している。その請求額は、その購入情報が示すコンテンツ識別情報が示す電子書籍の価格に一致している。
【００３６】
コンテンツ販売部２１は、さらに、その請求額のうちの一部をコンテンツ提供会社にそのサービス提供業者が支払ったときに、その旨を示すメッセージをそのコンテンツ提供会社に使用されるコンテンツ提供会社端末１１−ｉに送信されるように、通信装置を制御する。コンテンツ販売部２１は、さらに、その請求額のうちの一部を端末メーカーに支払ったときに、その旨を示すメッセージをその端末メーカーに使用される端末メーカー端末１２に送信されるように、通信装置を制御する。コンテンツ販売部２１は、さらに、そのコンテンツ識別情報をその端末識別情報に対応づけてデータベース用外部記憶装置６に記録する。
【００３７】
閲覧制限解除部２２は、コンテンツ販売部２１により電子書籍がポータルサイト運営業者サーバー３に送信されるときに、閲覧制限モード解除情報がポータルサイト運営業者サーバー３に送信されるように、通信装置を制御する。
【００３８】
本発明によるコンテンツ提供方法の実施の形態は、コンテンツ提供システム１により実行され、販売目的の電子書籍を収集する動作と、サービス端末２のモードを切り替える動作と、サービス端末２に電子書籍を提供する動作とサービス端末２を用いてウェブサイトを閲覧する動作とを備えている。
【００３９】
図４は、そのモードを切り替える動作を示している。サービス端末２は、電源が入れられると、まず、記憶装置に記録されている購入日時と現在日時とを比較する（ステップＳ１）。その購入日時は、サービス端末２を用いて最後に電子書籍が購入された日時を示している。サービス端末２は、その購入日時からその現在日時までに経過した期間が所定期間（Ｘ日）以内であるときに（ステップＳ１、ＮＯ）、通常モードを選択する（ステップＳ２）。サービス端末２は、その現在日時がその購入日時から所定期間（Ｘ日）以上経過した後であるときに（ステップＳ１、ＹＥＳ）、閲覧制限モードを選択する（ステップＳ３）。
【００４０】
なお、そのモードを切り替える動作は、サービス端末２の電源が入れられるタイミングと異なる他のタイミングで開始されることもできる。そのタイミングとしては、周期的なタイミング（たとえば、毎日の決まった時刻）、ポータルサイト運営業者サーバー３により提供されるポータルサイトにサービス端末２が接続されるタイミングが例示される。
【００４１】
図５は、その電子書籍を購入する動作を示している。使用者は、その電子書籍を購入しようとするときに、まず、入力装置を介してサービス端末２に所定の情報を入力する。サービス端末２は、入力装置を介してその所定の情報が入力されたときに、ポータルサイト運営業者サーバー３に接続要求情報３１を送信する。ポータルサイト運営業者サーバー３は、接続要求情報３１を受信すると、ウェブサイト情報３２をサービス端末２に返信する。ウェブサイト情報３２は、ポータルサイト運営業者サーバー３が提供するポータルサイトが備える複数のウェブページを示している。サービス端末２は、ウェブサイト情報３２を受信すると、ウェブサイト情報３２が示すウェブページを表示装置に表示する。
【００４２】
その使用者は、その複数のウェブページのうちの電子書籍購入ウェブページを閲覧し、入力装置を介してその電子書籍購入ウェブページで紹介されている複数の電子書籍から所望の電子書籍を選択する。サービス端末２は、その所望の電子書籍が選択されると、入力装置を介して入力された情報に基づいて購入情報３３を作成し、購入情報３３をポータルサイト運営業者サーバー３に送信する。購入情報３３は、使用者識別情報と端末識別情報とコンテンツ識別情報とモード情報とを示している。その使用者識別情報は、その使用者を識別している。その端末識別情報は、サービス端末２を識別している。そのコンテンツ識別情報は、その所望の電子書籍を識別している。そのモード情報は、購入情報３３が作成されるときに選択されているモードを示し、通常モードまたは閲覧制限モードのうちのいずれかを示している。
【００４３】
ポータルサイト運営業者サーバー３は、購入情報３３を受信すると、購入情報３４をサービス提供サーバー５に送信する。購入情報３４が示す情報は、購入情報３３が示す情報に等しい。サービス提供サーバー５は、購入情報３４を受信すると、サービス情報３５をポータルサイト運営業者サーバー３に送信する。サービス情報３５は、コンテンツ用外部記憶装置７に記録されている複数の電子書籍のうちの購入情報３４が示すコンテンツ識別情報により識別される電子書籍を示している。ポータルサイト運営業者サーバー３は、サービス情報３５を受信すると、サービス情報３６をサービス端末２に送信する。サービス情報３６が示す情報は、サービス情報３５が示す情報に等しく、すなわち、サービス情報３６は、サービス情報３５が示す電子書籍を示している。
【００４４】
サービス端末２は、サービス情報３６を受信すると、サービス情報３６が示す電子書籍を記憶装置に記録し、その電子書籍を表示装置に表示する。
【００４５】
サービス提供サーバー５は、購入情報３４を受信すると、さらに、課金情報３７を課金代行会社端末８に送信する。課金情報３７は、請求先と請求額とを示している。その請求先は、購入情報３４が示す使用者識別情報が示す使用者に一致している。その請求額は、購入情報３４が示すコンテンツ識別情報が示す電子書籍の価格に一致している。その課金代行業者は、課金代行会社端末８を用いて課金情報３７を閲覧し、その請求先からその請求額を回収し、その回収された請求額をそのサービス提供業者に支払う。
【００４６】
そのサービス提供業者は、その回収された請求額の一部を購入情報３４のコンテンツ識別情報が示すコンテンツを提供したコンテンツ提供業者に支払う。そのサービス提供業者は、さらに、その回収された請求額の他の一部を購入情報３４の端末識別情報が示す端末を製造・販売した端末メーカーに支払う。
【００４７】
サービス提供サーバー５は、さらに、購入情報３４のモード情報が閲覧制限モードを示しているときに、閲覧制限モード解除情報３８をポータルサイト運営業者サーバー３に送信する。ポータルサイト運営業者サーバー３は、閲覧制限モード解除情報３８を受信すると、閲覧制限モード解除情報３９をサービス端末２に転送する。閲覧制限モード解除情報３９が示す情報は、閲覧制限モード解除情報３８が示す情報に一致している。サービス端末２は、閲覧制限モード解除情報３９を受信すると、通常モードを選択する。サービス端末２は、閲覧制限モード解除情報３９を受信すると、さらに、閲覧制限モード解除情報３９を受信した日時を購入日時として記憶装置に記録する。
【００４８】
そのウェブサイトを閲覧する動作は、サービス端末２により実行される。その使用者は、あるウェブサイトを閲覧したいときに、入力装置を介してそのウェブサイトを示すウェブサイト情報をサービス端末２に入力する。すなわち、その使用者は、そのウェブサイトのアドレスまたはＵＲＬを入力し、または、サービス端末２に表示されているウェブページに表示されているリンクを選択する。サービス端末２は、通常モードが選択されている場合で、そのウェブサイト情報が入力されたときに、そのウェブサイト情報が示すウェブサイトに接続されるように、そのウェブサイトを提供するサーバーに接続要求情報を送信する。サービス端末２は、閲覧制限モードが選択されている場合で、入力装置を介してウェブサイト情報が入力されたときに、その複数のウェブサイトのうちのそのウェブサイト情報が示すウェブサイトがその複数の閲覧制限ウェブサイトに含まれているかどうかを判別する。サービス端末２は、そのウェブサイトがその複数の閲覧制限ウェブサイトに含まれていないときに、そのウェブサイトに接続されるように、そのウェブサイトを提供するサーバーに接続要求情報を送信する。サービス端末２は、そのウェブサイトがその複数の閲覧制限ウェブサイトに含まれているときに、そのウェブサイトに接続しないで、そのウェブサイトに接続することができない旨のメッセージを表示する。サービス端末２は、あるウェブサイトに接続されたときに、そのウェブサイトが備えるウェブページを表示する。
【００４９】
その端末メーカーは、そのサービス提供業者がその課金代行業者を介して回収された電子書籍の代金をその端末メーカーとそのコンテンツ提供会社とに分配することにより、サービス端末２の価格をより安価に設定することができる。このとき、その使用者は、サービス端末２の価格をより安価に購入することができる。その結果、このようなコンテンツ提供方法によれば、コンテンツ提供システム１は、サービス端末２の普及を促進することができ、電子書籍の販売の普及を促進することができる。
【００５０】
さらに、このようなコンテンツ提供方法によれば、その使用者は、サービス端末２を用いてそのポータルサイトのウェブページを常時に閲覧することができ、サービス端末２を用いて電子書籍を常時に購入することができる。さらに、このようなコンテンツ提供方法によれば、その使用者は、そのサービス提供業者が販売している電子書籍を購入しなければ、サービス端末２を用いてその複数の閲覧制限ウェブサイトのウェブページを閲覧することができない。この結果、このようなコンテンツ提供方法によれば、サービス端末２は、その使用者に電子書籍の購入を効率的に促すことができる。
【００５１】
なお、サービス提供サーバー５は、購入情報３３を受信したときに、購入情報３３のモード情報が通常モードに無関係に、閲覧制限モード解除情報３８をポータルサイト運営業者サーバー３に毎回送信することもできる。このような場合でも、その使用者は、電子書籍を購入しなければ、サービス端末２を用いてその複数の閲覧制限ウェブサイトのウェブページを閲覧することができない。このため、サービス端末２は、その使用者に電子書籍の購入をより効率的に促すことができる。このとき、購入情報３３、３４は、モード情報を示す必要がなく、モード情報を示すことを省略することができる。
【００５２】
サービス提供サーバー５は、コンテンツ推奨部をさらに備えることができる。そのコンテンツ推奨部は、ポータルサイト運営業者サーバー３から端末識別情報を受信したときに、データベース用外部記憶装置６に記録されている複数の購入履歴のうちのその端末識別情報に対応する購入履歴とコンテンツ用外部記憶装置７に記録されている複数のコンテンツ属性情報とに基づいて、コンテンツ用外部記憶装置７に記録されている複数の電子書籍から複数の推奨電子書籍を算出する。その複数の推奨電子書籍は、その端末識別情報が示すサービス端末の使用者が過去に購入した複数の電子書籍に関連する電子書籍であり、または、その使用者が購入すると推測される電子書籍である。たとえば、その複数の推奨電子書籍としては、それの分野、キーワードが、その過去に購入された電子書籍の分野、キーワードに類似しているものが例示される。そのコンテンツ推奨部は、さらに、その複数の推奨電子書籍を示す推奨電子書籍情報をポータルサイト運営業者サーバー３に送信する。
【００５３】
図６は、その電子書籍を購入する他の動作を示している。その動作は、そのコンテンツ推奨部が適用されるサービス提供サーバー５を用いて実行される。サービス端末２は、使用者により入力装置を介して所定の情報が入力されたときに、ポータルサイト運営業者サーバー３に接続要求情報４０を送信する。接続要求情報４０は、端末識別情報を示している。その端末識別情報は、サービス端末２を識別している。ポータルサイト運営業者サーバー３は、接続要求情報４０を受信すると、端末識別情報４１をサービス提供サーバー５に送信する。端末識別情報４１は、接続要求情報４０が示す端末識別情報に一致している。
【００５４】
サービス提供サーバー５は、ポータルサイト運営業者サーバー３から端末識別情報４１を受信したときに、データベース用外部記憶装置６に記録されている複数の購入履歴のうちのその端末識別情報に対応する購入履歴とコンテンツ用外部記憶装置７に記録されている複数のコンテンツ属性情報とに基づいて、コンテンツ用外部記憶装置７に記録されている複数の電子書籍から複数の推奨電子書籍を算出する。サービス提供サーバー５は、さらに、その複数の推奨電子書籍を示す推奨電子書籍情報４３をポータルサイト運営業者サーバー３に送信する。
【００５５】
ポータルサイト運営業者サーバー３は、推奨電子書籍情報４３を受信すると、ウェブサイト情報４４をサービス端末２に返信する。ウェブサイト情報４４は、ポータルサイト運営業者サーバー３が提供するポータルサイトが備える複数のウェブページを示している。その複数のウェブページは、その複数の推奨電子書籍を推奨する電子書籍購入ウェブページを含んでいる。サービス端末２は、ウェブサイト情報４４を受信すると、ウェブサイト情報４４が示すウェブページを表示装置に表示する。
【００５６】
サービス端末２は、その使用者により所望の電子書籍が選択されると、入力装置を介して入力された情報に基づいて購入情報４５を作成し、購入情報４５をポータルサイト運営業者サーバー３に送信する。購入情報４５は、使用者識別情報と端末識別情報とコンテンツ識別情報とを示している。その使用者識別情報は、その使用者を識別している。その端末識別情報は、サービス端末２を識別している。そのコンテンツ識別情報は、その所望の電子書籍を識別している。
【００５７】
ポータルサイト運営業者サーバー３は、購入情報４５を受信すると、購入情報４６をサービス提供サーバー５に送信する。購入情報４６が示す情報は、購入情報４５が示す情報に等しい。サービス提供サーバー５は、購入情報４６を受信すると、サービス情報４７をポータルサイト運営業者サーバー３に送信する。サービス情報４７は、コンテンツ用外部記憶装置７に記録されている複数の電子書籍のうちの購入情報４６が示すコンテンツ識別情報により識別される電子書籍を示している。ポータルサイト運営業者サーバー３は、サービス情報４７を受信すると、サービス情報４８をサービス端末２に送信する。サービス情報４８が示す情報は、サービス情報４７が示す情報に等しく、すなわち、サービス情報４８は、サービス情報４７が示す電子書籍を示している。
【００５８】
サービス端末２は、サービス情報４８を受信すると、サービス情報４８が示す電子書籍を記憶装置に記録し、その電子書籍を表示装置に表示する。サービス端末２は、サービス情報４８を受信すると、さらに、その電子書籍に購入された購入日時を記憶装置に記録する。
【００５９】
サービス提供サーバー５は、購入情報４６を受信すると、さらに、課金情報４９を課金代行会社端末８に送信する。課金情報４９は、請求先と請求額とを示している。その請求先は、購入情報４６が示す使用者識別情報が示す使用者に一致している。その請求額は、購入情報４６が示すコンテンツ識別情報が示す電子書籍の価格に一致している。その課金代行業者は、課金代行会社端末８を用いて課金情報４９を閲覧し、その請求先からその請求額を回収し、その回収された請求額をそのサービス提供業者に支払う。
【００６０】
このような動作が適用されたコンテンツ提供方法は、既述の実施の形態におけるコンテンツ提供方法と同様にして、そのサービス提供業者がその回収された請求額の一部を端末メーカーに支払うことにより、サービス端末２の普及を促進することができ、電子書籍の販売の普及を促進することができる。このようなコンテンツ提供方法によれば、サービス端末２は、閲覧制限モード解除情報を送信しないでも、通常モードと閲覧制限モードとを切り替えることができる。このため、このようなコンテンツ提供方法は、既述の実施の形態におけるコンテンツ提供方法と同様にして、その使用者に電子書籍の購入をより効率的に促すことができる。さらに、サービス提供サーバー５は、閲覧制限モード解除情報を送信する必要がなく、閲覧制限解除部２２を省略することができ、より容易に設計・製造されることができる。
【００６１】
このようなコンテンツ提供方法は、さらに、過去に購入された複数の電子書籍に基づいて算出される複数の推奨電子図書をそのポータルサイトのウェブページで紹介することにより、既述の実施の形態におけるコンテンツ提供方法に比較して、その使用者に電子書籍の購入をより効率的に促すことができる。
【００６２】
コンテンツ提供システム１は、サービス提供サーバー５を複数備える他のコンテンツ提供システムに置換されることができる。そのコンテンツ提供システム５１は、図７に示されているように、インターネットに例示される通信ネットワークを介して複数のコンピュータが互いに双方向に情報を伝送することができるように接続されている。その複数のコンピュータは、サービス端末５２とポータルサイト運営業者サーバー５３と複数のサービス提供サーバー５５−１〜５５−ｍ（ｍ＝２，３，４，…）と課金代行会社端末５８と複数のコンテンツ提供会社端末６１−１〜６１−ｎとを含んでいる。
【００６３】
ポータルサイト運営業者サーバー５３は、既述の実施の形態におけるポータルサイト運営業者サーバー３と同様にして、ポータルサイト運営業者により使用されている。そのポータルサイト運営業者は、その通信ネットワークを介してポータルサイト運営業者サーバー５３に接続されるコンピュータにポータルサイトを提供する。そのポータルサイトは、そのコンピュータを介して閲覧可能である複数のウェブページを備えている。その複数のウェブページのうちの電子書籍購入ウェブページは、そのコンピュータのユーザに複数の電子書籍を紹介している。
【００６４】
サービス端末５２は、既述の実施の形態におけるサービス端末２と同様にして、使用者に購入され、その使用者により使用されている。その使用者は、サービス端末５２を用いてその複数のウェブページを閲覧し、サービス端末５２を用いて電子書籍を購入し、サービス端末５２を用いてその電子書籍を閲覧する。その使用者は、さらに、サービス端末５２を用いてそのポータルサイトと異なるウェブサイトが備えるウェブページを閲覧することもできる。
【００６５】
複数のサービス提供サーバー５５−１〜５５−ｍの各サービス提供サーバー５５−ｊ（ｊ＝１，２，３，…，ｍ）は、既述の実施の形態におけるサービス提供サーバー５と同様にして、サービス提供業者により使用されている。そのサービス提供業者は、データベース用外部記憶装置５６とコンテンツ用外部記憶装置５７とを有している。そのサービス提供業者は、サービス提供サーバー５５−ｊを用いて複数の電子書籍を販売する。コンテンツ用外部記憶装置５７は、その複数の電子書籍を複数のコンテンツ属性情報に対応づけて記録している。データベース用外部記憶装置５６は、複数の購入履歴を複数の端末識別情報に対応づけて記録している。
【００６６】
課金代行会社端末５８は、既述の実施の形態における課金代行会社端末８と同様にして、課金代行業者により使用されている。その課金代行業者は、サービス提供サーバー５５−ｊから課金代行会社端末５８に送信される課金情報に基づいて、そのサービス提供業者が購入者に電子書籍を販売するときに、その電子書籍の代金をその購入者から回収し、その代金をそのサービス提供業者に支払う。その課金代行業者は、複数のサービス提供サーバー５５−１〜５５−ｍがそれぞれ使用される複数のサービス提供業者ごとに異なっていてもよい。
【００６７】
複数のコンテンツ提供会社端末６１−１〜６１−ｎの各コンテンツ提供会社端末６１−ｉは、コンテンツ提供会社により使用されている。そのコンテンツ提供会社は、電子書籍を作成し、コンテンツ提供会社端末６１−ｉを介してその電子書籍をそのサービス提供業者に提供することにより、その電子書籍の販売をそのサービス提供業者に依頼している。そのコンテンツ提供会社は、複数のサービス提供サーバー５５−１〜５５−ｍがそれぞれ使用される複数のサービス提供業者ごとに異なっていてもよい。
【００６８】
その複数のコンピュータは、端末メーカー端末６２をさらに含んでいる。端末メーカー端末６２は、端末メーカーにより使用されている。その端末メーカーは、サービス端末５２を製造・販売している。端末メーカー端末６２は、コンテンツ提供システム５１に複数が備えられている。
【００６９】
このようなコンテンツ提供システム５１によれば、その各サービス提供業者がその課金代行業者を介して回収された電子書籍の代金をその端末メーカーとそのコンテンツ提供会社とに分配することにより、既述の実施の形態におけるコンテンツ提供システム１と同様にして、サービス端末５２の普及を促進することができ、電子書籍の販売の普及を促進することができる。
【００７０】
すなわち、このようなコンテンツ提供システム５１によれば、そのサービス提供業者が複数である場合でも、既述の実施の形態におけるコンテンツ提供システム１と同様にして、その使用者に電子書籍の購入を効率的に促すことができる。
【００７１】
なお、このような電子書籍は、サービス端末２、５２により再生され得る他のコンテンツに置換されることもできる。そのコンテンツとしては、音楽と静止画と動画とが例示される。コンテンツ再生部１７は、コンテンツ購入部１６により音楽が購入されたときに、その音楽が出力されるように音響装置を制御する。コンテンツ再生部１７は、コンテンツ購入部１６により静止画が購入されたときに、その静止画が表示されるように、表示装置を制御する。コンテンツ再生部１７は、コンテンツ購入部１６により動画が購入されたときに、その動画が表示されるように、表示装置を制御し、かつ、その動画に付属の音声が出力されるように音響装置を制御する。
【００７２】
（付記１）
通常モードまたは閲覧制限モードの一方のモードを自動的に選択するモード切替部と、
前記通常モードが選択されているときに、入力装置を介して入力されるウェブサイト情報に基づいて複数のウェブページから選択されるウェブページを表示装置に表示するウェブサイト接続部と、
前記複数のウェブページのうちのコンテンツ購入ウェブページが表示されているときに、複数のコンテンツから選択される購入コンテンツを識別する購入情報をサービス提供サーバーに送信するコンテンツ購入部と、
前記サービス提供サーバーから前記購入コンテンツが配信されたときに、前記購入コンテンツが再生されるように出力装置を制御するコンテンツ再生部とを具備し、
前記ウェブサイト接続部は、前記閲覧制限モードが選択されているときに、前記複数のウェブページのうちのコンテンツ購入ウェブページと異なる閲覧制限ウェブページが表示されないように前記表示装置を制御する
コンテンツ購入再生装置。
（付記２）
付記１において、
前記コンテンツ購入部は、さらに、前記購入コンテンツが購入された購入日時を記憶装置に記録し、
前記モード切替部は、前記購入日時から所定の期間以上が経過したときに、前記閲覧制限モードを選択する
コンテンツ購入再生装置。
（付記３）
付記１〜付記２のいずれかにおいて、
前記モード切替部は、前記サービス提供サーバーから閲覧制限モード解除情報を受信したときに、前記通常モードを選択する
コンテンツ購入再生装置。
（付記４）
付記３において、
前記購入情報は、前記通常モードと前記閲覧制限モードとのうちの前記コンテンツ購入ウェブページが表示されているときに選択されているモードをさらに示す
コンテンツ購入再生装置。
（付記５）
付記１〜付記４のいずれかにおいて、
前記購入情報は、使用者識別情報と端末識別情報とをさらに示し、
前記使用者識別情報に対応する請求先から回収された代金は、前記コンテンツ識別情報に対応するコンテンツ提供元と前記端末識別情報に対応する端末提供元とに分配される
コンテンツ購入再生装置。
（付記６）
付記３に記載されるコンテンツ購入再生装置と、
前記サービス提供サーバーとを具備し、
前記サービス提供サーバーは、前記コンテンツ購入ウェブページが表示されているときに前記閲覧制限モードが選択されていることを前記購入情報が示すときに、前記閲覧制限モード解除情報を前記コンテンツ購入再生装置に送信する
コンテンツ提供システム。
（付記７）
付記６において、
前記サービス提供サーバーは、前記購入情報に基づいて作成された購入履歴に基づいて前記複数のコンテンツから選択される推奨コンテンツが紹介されるように前記コンテンツ購入ウェブページを制御する
コンテンツ提供システム。
（付記８）
通常モードまたは閲覧制限モードの一方のモードを自動的に選択するステップと、
入力装置を介して入力されるウェブサイト情報に基づいて複数のウェブページから選択されるウェブページを表示装置に表示するステップと、
前記複数のウェブページのうちのコンテンツ購入ウェブページが表示されているときに、複数のコンテンツから選択される購入コンテンツを識別する購入情報をサービス提供サーバーに送信するステップと、
前記サービス提供サーバーから前記購入コンテンツが配信されたときに、前記購入コンテンツが再生されるように出力装置を制御するステップとを具備し、
前記複数のウェブページのうちのコンテンツ購入ウェブページと異なる閲覧制限ウェブページは、前記通常モードが選択されているときに、前記表示装置に表示されるように制御され、前記閲覧制限モードが選択されているときに、前記表示装置に表示されないように制御される
コンテンツ提供方法。
（付記９）
付記８において、
前記購入コンテンツが購入された購入日時を記憶装置に記録するステップをさらに具備し、
前記閲覧制限モードは、前記購入日時から所定の期間以上が経過したときに、選択される
コンテンツ提供方法。
（付記１０）
付記８〜付記９のいずれかにおいて、
前記通常モードは、前記サービス提供サーバーから閲覧制限モード解除情報を受信したときに、選択される
コンテンツ提供方法。
（付記１１）
付記１０において、
前記購入情報は、前記通常モードと前記閲覧制限モードとのうちの前記コンテンツ購入ウェブページが表示されているときに選択されているモードをさらに示す
コンテンツ提供方法。
（付記１２）
付記８〜付記１１のいずれかにおいて、
前記購入情報は、使用者識別情報と端末識別情報とをさらに示し、
前記使用者識別情報に対応する請求先から回収された代金は、前記コンテンツ識別情報に対応するコンテンツ提供元と前記端末識別情報に対応する端末提供元とに分配される
コンテンツ提供方法。
【符号の説明】
【００７３】
１  ：コンテンツ提供システム
２  ：サービス端末
３  ：ポータルサイト運営業者サーバー
５  ：サービス提供サーバー
６  ：データベース用外部記憶装置
７  ：コンテンツ用外部記憶装置
８  ：課金代行会社端末
１１−１〜１１−ｎ：複数のコンテンツ提供会社端末
１２：端末メーカー端末
１４：モード切替部
１５：ウェブサイト接続部
１６：コンテンツ購入部
１７：コンテンツ再生部
２０：コンテンツ収集部
２１：コンテンツ販売部
２２：閲覧制限解除部
３１：接続要求情報
３２：ウェブサイト情報
３３：購入情報
３４：購入情報
３５：サービス情報
３６：サービス情報
３７：課金情報
３８：閲覧制限モード解除情報
３９：閲覧制限モード解除情報
４０：接続要求情報
４１：端末識別情報
４３：推奨電子書籍情報
４４：ウェブサイト情報
４５：購入情報
４６：購入情報
４７：サービス情報
４８：サービス情報
４９：課金情報
５１：コンテンツ提供システム
５２：サービス端末
５３：ポータルサイト運営業者サーバー
５５−１〜５５−ｍ：複数のサービス提供サーバー
５６：データベース用外部記憶装置
５７：コンテンツ用外部記憶装置
５８：課金代行会社端末
６１−１〜６１−ｎ：複数のコンテンツ提供会社端末
６２：端末メーカー端末
【図１】
0005626886.tif 000002
【図２】
0005626886.tif 000003
【図３】
0005626886.tif 000004
【図４】
0005626886.tif 000005
【図５】
0005626886.tif 000006
【図６】
0005626886.tif 000007
【図７】
0005626886.tif 000008